(57)【要約】【課題】トラクターの動力を利用せずに牽引することによって、播種溝形成、播種、施肥及び覆土を行う不耕起播種機を提供することである。【解決手段】不耕起播種機全体を押し下げる「てこの原理」の構造の採用により播種機全体を土中に入り込めやすくし、１条ごとの播種、施肥、覆土を実施する播種ユニットを押し下げる「てこの原理」の構造の採用により播種ユニットを圃場の凹凸に関わらず土中に入り込めやすくし、先頭に１〜３ｍｍ幅の細溝を形成させ、前記細溝を形成したディスクコルタの後側を後続するダブルディスクの前側で挟むようにして配設することによって作溝を容易にし、播種及び施肥後に種子を土に接触させる押し込みを実施し、その後に覆土するように配置した構造を採用することによって課題解決ができた。【選択図】  図１
2011110009.tif 000002
【特許請求の範囲】
【請求項１】
不耕起栽培圃場において、牽引車両からの駆動力を利用せず牽引によって播種溝を形成し、播種、施肥、覆土する不耕起播種機であって、不耕起播種機の前部に配設され、牽引車両後部の牽引リンクに装着される縦横に構成されたフレームからなる取付フレーム部と、前記牽引車両の後部に支点を設け、前記支点部を先端部とし前記取付フレーム部内を挿通させて後方に延出させ後端部にウエイトを載置して前記取付フレーム部の横フレームに当接させて前記不耕起播種機全体を押し下げる第一押下げフレームと、前記取付フレーム部の縦フレーム後側下方に配設されたディスクコルタ部を軸支する支持アームの中途部に支点を設け、前記支点を先端部とし後方に延出させ後端部にウエイトを載置して、前記先端部と後端部との間に一列に垂設したダブルディスク部、種子押込みディスク部及び覆土ディスク部を押し下げる第二押下げフレームと、を含む手段からなることを特徴とする不耕起播種機。
【請求項２】
取付フレーム部の縦フレームの後下部に垂設された支持アーム下部に貫装された軸で回転自在に軸支され、１〜３ｍｍ幅の円板形状のディスクコルタと、前記ディスクコルタの後側に、第二押下げフレームに垂直に締着させた支持アームの下部に突設された斜め下向きの軸で回転自在に軸支された左右２枚の円盤形状のディスクの前部に前記ディスクコルタの後部を挟入させ、挟入させた部位より下方で左右のディスクをほぼ接するように配置させ、平面視で進行方向に向かって略逆Ｖ字形を成し、正面視で略Ｖ字形を成すように配置したダブルディスクと、を含む手段からなることを特徴とする請求項１に記載の不耕起播種機。
【請求項３】
ダブルディスクの後側に、第二押下げフレームに締着させた支持体の下部に貫装させた軸で回転自在に軸支され、０．５〜３ｃｍ幅の円板形状で播種溝内の種子を土に押し込む種子押し込みディスクと、前記種子押し込みディスクの後側に、第二押下げフレームに後下方に傾斜させて締着させた支持アームの後端部に、略スプロケット形状で三角形状の突起を複数有する薄板を、播種溝を覆うように平面視で進行方向に向かって斜めに配設して播種溝に土を覆う覆土ディスクと、を含む手段からなることを特徴とする請求項１または２に記載の不耕起播種機。
【請求項４】
ディスクコルタの左右には前記ディスクコルタと同軸で回転自在に軸支され、前記ディスクコルタとの半径の差によって前記ディスクコルタの土中深さを制限する円筒状のゲージホイールを配設し、かつ前記ディスクコルタ及びゲージホイールを軸支した支持アームの上面と、取付フレーム部の縦フレームの後側上部に固着させた突起部との間に圧縮バネを介装させた配置にしたことを特徴とする請求項１乃至３のいずれかに記載の不耕起播種機。
【請求項５】
ダブルディスクを軸支する支持アームを第二押下げフレームに対し上下方向で任意の位置に締結でき、種子押し込みディスクの左右には前記種子押し込みディスクとの半径の差によって前記種子押し込みディスクの土中深さを制限する円筒状のゲージホイールを前記種子押し込みディスクと同軸で回転自在に配設したことを特徴とする請求項１乃至４のいずれかに記載の不耕起播種機。
【請求項６】
覆土ディスク部の屈曲支持アームの、第二押下げフレーム側と覆土ディスク側との間に引張バネを介装させたことを特徴とする請求項１乃至５のいずれかに記載の不耕起播種機。
【請求項７】
ディスクコルタ部のゲージホイール及び／または種子押し込みディスク部のゲージホイールの後部に当接させるスクレーパを配設したことを特徴とする請求項１乃至６のいずれかに記載の不耕起播種機。
【請求項８】
種子押し込みディスク部のゲージホイールの接地面に対する第二押下げフレームの高さを変えることによって、正面視で略Ｖ字形を成す配設をしたダブルディスクの土中深さを変え、播種溝の断面大きさを可変できることを特徴とする請求項１乃至７のいずれかに記載の不耕起播種機。
【請求項９】
ディスクコルタ部の支持アームを垂設させた縦フレームと、前記縦フレームの上下に配設する横フレームとを着脱可能な締結構造とする取付フレーム部を構成することを特徴とする請求項１乃至８のいずれかに記載の不耕起播種機。
【発明の詳細な説明】
【技術分野】
【０００１】
本発明は、前作物の収穫後、耕起しない状態の圃場において、トラクターのＰＴＯ軸などの他機関からの動力を利用せずに、任意に設定した一定深さのすじ状の播種溝を形成し、この播種溝に穀物または野菜類などの種子を播種、または播種及び施肥をする不耕起播種機に関する。
【背景技術】
【０００２】
水田や畑を耕さないまま農作物を栽培する不耕起栽培は、表面排水が良好なため麦や大豆等の播種作業を困難にする降雨の影響を受けにくく最も適する時期の播種が可能であること、播種前の耕起作業を必要とせず地耐力が高いことから生育中の管理や収穫時の作業性が向上するなど省力面での効果が大きいこと、及び地力の消耗が低く抑えられるため麦や大豆等の畑作物の長期間の安定生産に寄与できるなど生産者にとってメリットが大きい。
【０００３】
不耕起栽培用の播種機としては、例えば、同一回転面上に設けられ、先端が側方に曲がった曲がり部を有する複数本の播種溝爪を回転させて播種溝を形成し、該播種溝の播種・施肥・覆土を行う不耕起播種作業装置が開示されている（例えば、特許文献１参照）。
【０００４】
また、機体の前部に強制駆動回転するように軸支され、外周部に鋭利な円盤を有し、その内周側の左右両側に播種溝形成部を設けて、不耕起農耕地に対して断面Ｙ字状の播種溝を形成する播種溝形成用回転円盤と、該回転円盤の後方に設けられ、回転円盤により形成された播種溝に播種する播種深さ制御機構を具備する播種部と、上記回転円盤の前側に設けられ、不耕起農耕地の表面に散在している前作物の残渣物を農耕地に押圧し、播種部への詰りを回避する機能を有するローラーと、不耕起農耕地の表面に液体によりマーキングするラインマーカー部とからなる汎用型不耕起播種機が開示されている（例えば、特許文献２参照）。
【発明の概要】
【発明が解決しようとする課題】
【０００５】
しかし、特許文献１または特許文献２のいずれの不耕起播種機もトラクターのＰＴＯ軸の動力を利用して、直刃爪またはディスクを強制駆動して不耕起圃場に播種溝を形成し、播種・覆土するものであるので、機構が複雑になるという問題があった。
【０００６】
また、ＰＴＯ軸からの駆動によって播種部分の土壌を耕起するため土壌の撹乱が大きく、これにより高水分土壌では麦または大豆の出芽が不安定になりやすく、土中の雑草種子を表面に移動させるので雑草が発生しやすいという問題があった。
【０００７】
さらに、播種条数や条間が固定されているので、圃場条件、作目または栽培条件に柔軟に対応できないという問題があった。
【０００８】
そこで、本発明の目的は、トラクターの動力を利用せず、トラクターなどの牽引車で牽引することによって播種溝を形成し、播種、施肥及び覆土を行うシンプルな構造の不耕起播種機を提供することである。
【課題を解決するための手段】
【０００９】
本発明において、「円板形状」とは平らな面を有するまるい板の形状を意味し、「円盤形状」とは外周部に比較して中央部にふくらみを有する、まるい皿状の形状を意味する。
【００１０】
本発明において、「コルタ」とは英語のｃｏｌｔｅｒの和訳であって、すき（ｐｌｏｗ）の先につけた草切り刃又は円板を意味する（新英和大辞典  第５版  研究社）。
【００１１】
上記の課題を解決するために、請求項１にかかる不耕起播種機１の発明は、不耕起栽培圃場において、牽引車両からの駆動力を利用せず牽引によって播種溝を形成し、播種、施肥、覆土する不耕起播種機１であって、不耕起播種機１の前部に配設され、牽引車両後部の牽引リンクに装着される縦横に構成されたフレームからなる取付フレーム部２と、前記牽引車両の後部に支点２１を設け、前記支点部を先端部とし前記取付フレーム部２内を挿通させて後方に延出させ後端部にウエイト２２を載置して前記取付フレーム部２の横フレーム１２に当接させて前記不耕起播種機１全体を押し下げる第一押下げフレーム３と、前記取付フレーム部２の縦フレーム１１後側下方に配設されたディスクコルタ部５を軸支する支持アーム３１の中途部に支点２３を設け、前記支点２３を先端部とし後方に延出させ後端部にウエイト２４を載置して、前記先端部と後端部との間に一列に垂設したダブルディスク部６、種子押込みディスク部７及び覆土ディスク部８を押し下げる第二押下げフレーム４と、を含む手段からなることを特徴とする。
【００１２】
請求項２にかかる不耕起播種機１の発明は、請求項１において、取付フレーム部２の縦フレーム１１の後下部に垂設された支持アーム３１下部に貫装された軸で回転自在に軸支され、１〜３ｍｍ幅の円板形状のディスクコルタ３２と、前記ディスクコルタ３２の後側に、第二押下げフレーム４に垂直に締着させた支持アーム４１の下部に突設された斜め下向きの軸で回転自在に軸支された左右２枚の円盤形状のディスクの前部に前記ディスクコルタ３２の後部を挟入させ、挟入させた部位より下方で左右のディスクをほぼ接するように配置させ、平面視で進行方向に向かって略逆Ｖ字形を成し、正面視で略Ｖ字形を成すように配置したダブルディスク４２と、を含む手段からなることを特徴とする。
【００１３】
請求項３にかかる不耕起播種機１の発明は、請求項１または２において、前記ダブルディスク４２の後側に、第二押下げフレーム４に締着させた支持体５１の下部に貫装させた軸で回転自在に軸支され、０．５〜３ｃｍ幅の円板形状で播種溝７１内の種子７２を土に押し込む種子押し込みディスク５２と、前記種子押し込みディスク５２の後側に、第二押下げフレーム４に後下方に傾斜させて締着させた屈曲支持アーム６１の後端部に、略スプロケット形状で三角形状の突起を複数有する薄板を、播種溝７１を覆うように平面視で進行方向に向かって斜めに配設して播種溝７１に土を覆う覆土ディスク６２と、を含む手段からなることを特徴とする。
【００１４】
請求項４にかかる不耕起播種機１の発明は、請求項１乃至３のいずれかにおいて、ディスクコルタ３２の左右には前記ディスクコルタ３２と同軸で回転自在に軸支され、前記ディスクコルタ３２との半径の差によって前記ディスクコルタ３２の土中深さを制限する円筒状のゲージホイール３３を配設し、かつ前記ディスクコルタ３２及びゲージホイール３３を軸支した支持アーム３１の上面と、取付フレーム部２の縦フレーム１１の後側上部に固着させた突起部３４との間に圧縮バネ３５を介装させた配置にしたことを特徴とする。
【００１５】
請求項５にかかる不耕起播種機１の発明は、請求項１乃至４のいずれかにおいて、ダブルディスク４２を軸支する支持アーム４１を第二押下げフレーム４に対し上下方向で任意の位置に締結でき、種子押し込みディスク５２の左右には前記種子押し込みディスク５２との半径の差によって前記種子押し込みディスク５２の土中深さを制限する円筒状のゲージホイール５３を前記種子押し込みディスク５２と同軸で回転自在に配設したことを特徴とする。
【００１６】
請求項６にかかる不耕起播種機１の発明は、請求項１乃至５のいずれかにおいて、覆土ディスク部８の屈曲支持アーム６１の、第二押下げフレーム４側と覆土ディスク６２側との間に引張バネ６３を介装させたことを特徴とする。
【００１７】
請求項７にかかる不耕起播種機１の発明は、請求項１乃至６のいずれかにおいて、ディスクコルタ部５のゲージホイール３３及び／または種子押し込みディスク部７のゲージホイール５３の後部に当接させるスクレーパ３６及び／またはスクレーパ５４を配設したことを特徴とする。
【００１８】
請求項８にかかる不耕起播種機１の発明は、請求項１乃至７のいずれかにおいて、種子押し込みディスク部７のゲージホイール５３の接地面に対する第二押下げフレーム４の高さを変えることによって、正面視で略Ｖ字形を成す配設をしたダブルディスク４２の土中深さを変え、播種溝７１の断面大きさを可変できることを特徴とする。
【００１９】
請求項９にかかる不耕起播種機１の発明は、請求項１乃至８のいずれかにおいて、ディスクコルタ部５の支持アーム３１を垂設させた縦フレーム１１と、前記縦フレーム１１の上下に配設する横フレーム１２、１３とを着脱可能な締結構造を有する取付フレーム部２を構成することを特徴とする。
【発明の効果】
【００２０】
請求項１に記載の発明は、不耕起栽培圃場において、トラクターの動力取出し軸であるＰＴＯ軸を利用しない状態で、トラクターなどの牽引車両で牽引することによって、播種溝７１を形成し、播種し、施肥し、覆土する効果を奏する。
【００２１】
不耕起播種機１の第一押下げフレーム３に載置したウエイト２２によって、ディスクコルタ３２を土壌表面５６から狙いとする地中深さまで貫入させることができ、第二押込みフレーム４に載置したウエイト２４の重量を変えることによってダブルディスク４２、種子押し込みディスク５２及び覆土ディスク６２を各作目の最適な深さに土中貫入させる効果を奏する。
【００２２】
トラクターのＰＴＯ軸を利用しないことから、ＰＴＯ軸に連結させて駆動力を方向変換させながら伝達する機構が不要になるので、不耕起播種機１の構造をシンプルにでき、不耕起播種機１の前後方向の長さを短縮できるという効果を奏する。
【００２３】
トラクラーが圃場に播種するときは播種効率を高めるために一筆書きのようにトラクターの走行軌跡を設定するが、トラクター及び不耕起播種機が方向転換のため旋回するところには最初の走行のときには播種が出来ない「枕地」が発生する。前記「枕地」の大きさは、トラクターに接続させた不耕起播種機の前後方向の長さの影響によって変動するが、本発明の不耕起播種機１は前後方向の長さを従来の不耕起播種機の略半分に短縮できるので、トラクター及び不耕起播種機１が方向転換するときに生ずる「枕地」を縮小でき、トラクターによる播種効率を高める効果を奏する。
【００２４】
請求項２の発明は、請求項１の発明と同じ効果を奏する。さらに、従来の不耕起播種機ではトラクターのＰＴＯ軸によって播種部分の土壌を耕起するため土壌の撹乱が大きく、高水分土壌では麦及び大豆の出芽が不安定になりやすい。本発明は、牽引により最初に幅１〜３ｍｍの細い溝を形成し、その後前記細い溝を少し押し広げて播種溝７１を形成することにより、土壌の撹乱を抑制することができ、高水分土壌で麦及び大豆の出芽や苗立が向上し、雑草の発生を抑制する効果を奏する。
【００２５】
細溝を形成したディスクコルタ３２の後部を挟む状態でダブルディスク４２を配置させ、左右のディスクの前下部を接触させた状態で配設したので、ダブルディスク４２の内側への土塊や前作物の収穫残渣などの侵入や集積を防止でき、種子７２や肥料を投下する土中深さを変化させずに一定の深さに安定させる効果を奏する。
【００２６】
また、細溝を形成したディスクコルタ３２の後部を挟む状態でダブルディスク４２を配置させ、左右のディスクの前下部を接触させた状態で配設したので、土中に播種に必要な幅や深さの溝を作溝しやすく、かつトラクターなどの車両による牽引の負荷が軽減される効果を奏する。
【００２７】
ディスクコルタ部５のディスクコルタ３２及びゲージホイ―ル３３、並びにダブルディスク部６のダブルディスク４２は軸受を介して軸支されているので、牽引車両の前進によってディスクコルタ３２、ゲージホイ―ル３３及びダブルディスク４２がそれぞれ独立して回転する。回転しない場合には土壌表面５６に散在する前作物の収穫残渣などを引き摺って集積するが、回転させることによって残渣を引き摺らないし集積しないという効果を奏する。
【００２８】
また、回転させることによって、ディスクコルタ３２、ゲージホイ―ル３３及びダブルディスク４２を土壌表面５６または土中を前進させるときに生じる抵抗を減じることができるという効果を奏する。
【００２９】
請求項３の発明は、請求項１または２の発明と同じ効果を奏する。さらに、種子７２を投下させて先に覆土を行うと種子７２の下方に空洞が形成されて水分の吸収がしにくくなるという問題が生じるが、本発明では覆土前に播種溝７１に投下された種子７２を播種溝７１の底部に押し当て種子７２を土壌に密着させるので、種子７２が土壌から水分を吸収しやすくなり、天候が乾燥条件下でも高い出芽率を得ることができるという効果を奏する。
【００３０】
また、高水分土壌のときに覆土して鎮圧すると種子７２の上部にかけられた土が固くなり、しばらくの期間、降雨がなくて日射の影響で土壌表面の乾燥状態が続くとさらに土壌表面の土が固くなって出芽を阻害し、さらに多少の粘土分が含まれていると土壌表面の土がカチカチになって出芽を阻害する。本発明では、種子７２の上には土を被せるのみで鎮圧をしないので土壌表面の状態に影響されて出芽が阻害されることはなく、かつ鳥による害も防げるという効果を奏する。
【００３１】
種子押込みディスク部７の種子押込みディスク５２及びゲージホイ―ル５３は軸受を介して軸支されているので、牽引車両の前進によって種子押込みディスク５２及びゲージホイ―ル５３がそれぞれ独立して回転する。回転しない場合には土壌表面に散在する前作物の収穫残渣などを引き摺って集積するが、回転させることによって残渣を引き摺らないし集積することがないという効果を奏する。
【００３２】
また、回転させることによって、種子押込みディスク５２及びゲージホイ―ル５３を土壌表面５６または土中を前進させるときに生じる抵抗を減じることができるという効果を奏する。
【００３３】
覆土ディスク６２の形状が、円板形状の場合には牽引車両が前進することにより土を移動させ種子７２に土を過剰にかけるが、本発明は略スプロケット形状であり、歯たけの高い三角形状の歯形であるので、前進させながら覆土ディスク６２を土壌表面５６に接すると覆土ディスク６２が回転するので、種子７２に土を適度にかけることができ、播種溝７１に投下された種子７２の表面の乾燥を防ぐことができ、播種溝７１に投下された種子７２に対する鳥類の被害を防ぐ効果を奏する。
【００３４】
また、覆土ディスク６２の形状が、円板形状の場合には牽引車両が前進することにより覆土ディスク６２の前側に土が盛り上がりやすく走行時の負荷が増大するが、本発明は略スプロケット形状であり、歯たけの高い三角形状の歯形であるので、前進させながら覆土ディスク６２を土壌表面５６に接すると覆土ディスク６２が回転するので、覆土ディスク６２前における土の盛り上がりを避けることができ走行時の負荷を軽減させる効果を奏する。
【００３５】
請求項４の発明は、請求項１乃至３のいずれかの発明と同じ効果を奏する。さらに、細溝の深さを調整できるという効果を奏するとともに、圃場の高低にディスクコルタ３２を追従させる効果を奏する。
【００３６】
請求項５の発明は、請求項１乃至４のいずれかの発明と同じ効果を奏する。さらに、ダブルディスク４２及び種子押し込みディスク５２の土中深さの調整ができるという効果を奏する。
【００３７】
第二押下げフレーム４と、ダブルディスク４２を軸支する支持アーム４１との締結位置を変更することによって、正面視で略Ｖ字形のダブルディスク４２の土中深さの調整が可能であるため、前記土中深さ調整により播種溝７１の大きさを変えることができ、大豆のような少し大きめの種子７２の場合には土中深さを深くして播種溝７１を大きくでき、一方、麦のような小さめの種子７２の場合には土中深さを浅くして播種溝７１を小さくできるという効果を奏する。
【００３８】
請求項６の発明は、請求項１乃至５のいずれかの発明と同じ効果を奏する。さらに、覆土ディスク６２をダブルディスク部６及び種子押し込みディスク部７側との圃場の高低差があっても覆土ディスク６２を土壌表面５６側に引っ張り下げるという効果を奏する。
【００３９】
請求項７の発明は、請求項１乃至６のいずれかの発明と同じ効果を奏する。さらに、土が湿っているときには乾いているときに比べて、ディスクコルタ部５のゲージホイール３３、及び種子押し込みディスク部７のゲージホイール５３の表面に土が付着しやすくなるが、この付着した土を剥離し、ディスクコルタ３２などの土中深さを保持するという効果を奏する。
【００４０】
請求項８の発明は、請求項１乃至７のいずれかの発明と同じ効果を奏する。さらに、第二押下げフレーム４と、ダブルディスク４２を軸支する支持アーム４１との締結位置を変更せずに、第二押下げフレーム４の土壌表面５６からの高さを変更することによって、略Ｖ字形のダブルディスク４２の土中深さを変え、播種溝７１の大きさを変えることができるため、大豆のような少し大きめの種子７２の場合にはスペーサ５５の厚みを薄くし土中深さを深くして播種溝７１を大きく、一方、麦のような小さめの種子７２の場合にはスペーサ５５の厚みを厚くし土中深さを浅くして播種溝７１を小さくする効果を奏する。
【００４１】
請求項９の発明は、請求項１乃至８のいずれかの発明と同じ効果を奏する。さらに、１条ごとの作溝、播種、施肥そして覆土作業には、ディスクコルタ３２、ダブルディスク４２、種子押し込みディスク５２及び覆土ディスク６２をワンユニットとして必要とするが、ディスクコルタ３２、ダブルディスク４２、種子押し込みディスク５２及び覆土ディスク６２をワンユニットとして第二押下げフレーム４とボルトナットやクランプ等で容易に着脱できるという効果を奏する。
【００４２】
したがって、ワンユニットの着脱によって播種条数や条間を自由に設定できるため、大区画圃場から小区画圃場まで幅広く対応でき、特にトラクターの馬力に応じて播種条数を増減させることが可能となるため播種作業の高効率化が可能となり、さらに作目と播種時期に応じたきめ細かい条間設定が可能となるので、高い収量と品質を安定して実現できるという効果を奏する。
【図面の簡単な説明】
【００４３】
【図１】不耕起播種機の右側面概要図である。
【図２】不耕起播種機を正面からみた（図１においてＢ方向からみた）取付フレーム部の概要図である。
【図３】不耕起播種機を上からみた第一押下げフレーム及び取付フレーム部の平面概要図である。
【図４】図１におけるＡ−Ａ断面の平面概要図である。
【図５】ディスクコルタ部の正面概要図である。
【図６】（ａ）はダブルディスク部の右側面概要図で、（ｂ）はダブルディスク部の背面概要図である。
【図７】取付フレーム部の横フレームと縦フレームとの締結部を部分的にとり出した一例である。
【図８】(ａ)は播種溝への種子投下直後の状態を示す要部断面図で、（ｂ）は種子押込みディスクで押えた直後の状態を示す要部断面図で、（ｃ）は覆土ディスクで覆土後の状態を示す要部断面図である。
【図９】第二押下げフレーム高さ調整によるダブルディスクの土中深さ変更の説明図である。
【図１０】(ａ)は第二押下げフレーム高さを高位にした場合の播種溝の大きさを示す要部断面図で、（ｂ）は第二押下げフレーム高さを低位にした場合の播種溝の大きさを示す要部断面図である。
【発明を実施するための形態】
【００４４】
以下、本発明の実施の形態について説明する。
【００４５】
まず、図１により、本発明による不耕起播種機１の構造及び作用について説明する。
【００４６】
本発明の不耕起播種機１は、取付フレーム部２、第一押下げフレーム部３、ディスクコルタ部５、ダブルディスク部６、種子押込みディスク部７、覆土ディスク部８、第二押下げフレーム部４、種子供給部９及び肥料供給部（図示なし）とから構成される。ここで、不耕起播種機１は図１においてＦ方向が前進方向であり、肥料供給部は作目によっては併設させていてもいなくともよい。
【００４７】
種子供給部９は、種子用ホッパ８１、種子繰り出し装置８２、種子供給管８３及び種子繰り出し装置８２を駆動させる接地輪（図示なし）から構成され、肥料供給部（図示なし）は、肥料用ホッパ（図示なし）、肥料繰り出し装置（図示なし）及び肥料供給管（図示なし）から構成される。ここで、接地輪は種子繰り出し装置８２及び肥料繰り出し装置を駆動させる。
【００４８】
取付フレーム部２は、図２及び図３において、不耕起播種機１の前部に配設し縦フレーム１１及び横方向のフレーム１２、１３、１４からなり、トラクターなどの牽引車両と連結するためのブラケット２６を上部に、ブラケット２７を下部にそれぞれ配設している。前記ブラケット２６、２７と、トラクターの後部に装着された三点リンクヒッチ（図示なし）とを回転自在に連結させることにより、図１におけるＦ方向へのトラクター前進により不耕起播種機１を前進させることができる。
【００４９】
また、取付フレーム部２は、縦フレーム１１の上部と下部をそれぞれ横フレーム１２、１３とクランプ機構などの締結構造で着脱可能としていることから、横フレーム１２、１３の任意の位置に縦フレーム１１を締結させることができる。
【００５０】
縦フレーム１１と横フレーム１３との締結構造の一例を図７で説明すると、縦フレーム１１には継手クランプ機構１５が溶接によって固設され、前記継手クランプ機構１５によって横フレーム１３の任意の位置に縦フレーム１１を締結することができる。
【００５１】
ここで、縦フレーム１１は１条分の作溝、播種、施肥及び覆土に対応していることから、播種条数や条間を自由に設定することができる。
【００５２】
第一押下げフレーム３は、先端部に支点２１となる軸挿入用の孔を設け後端部にウエイト２２を載置可能にしたＩ型鋼材などからなる長尺のフレームであって、前記支点２１となる軸挿入用の孔と、牽引車両の後部に設けた支点２１となる軸挿入用の孔とに同一軸を嵌入させて、前記取付フレーム部２の枠内を挿通させて後方に延出させる配置をしている。そのため後端部にウエイト２２を載置することによって取付フレーム部２の横フレーム１２に上方向から当接させて不耕起播種機１の前端部に配設された取付フレーム部２を「てこの原理」で押し下げ、不耕起播種機１全体を押し下げることができる。
【００５３】
第一押下げフレーム３は、１本の角型鋼管などの長尺のフレームでもよいし、横フレームで連結させた２〜３本のＩ型鋼などの長尺のフレームでもよい。
【００５４】
図１及び図４において、ディスクコルタ部５、ダブルディスク部６、種子押込みディスク部７、覆土ディスク部８及び第二押下げフレーム４は、１条の溝を形成し播種し施肥し覆土する一連の作業を行うユニットである。なお作目によって施肥するかしないかはいずれでもよい。
【００５５】
図１及び図５において、ディスクコルタ部５は、円板状のディスクコルタ３２、前記ディスクコルタ３２の左右に配置する円筒形状のゲージホイール３３、スクレーパ３６、及び前記ディスクコルタ３２とゲージホイール３３を同軸で軸受を嵌入させて軸支する支持アーム３１とからなる。
【００５６】
ディスクコルタ３２は、厚さ１〜３ｍｍ直径２０〜４０ｃｍの円板形状を有しており、ゲージホイール３３は、ディスクコルタ３２の直径より小径の円筒形状であり、ディスクコルタ３２の土中深さをディスクコルタ３２とゲージホイール３３との半径の差で設定している。したがって、ディスクコルタ３２の土中深さを例えば１０ｃｍに設定すると、ディスクコルタ３２とゲージホイール３３との半径差が１０ｃｍのゲージホイール３３を取付ける。
【００５７】
ディスクコルタ３２とゲージホイール３３を軸支する支持アーム３１の頭部には、垂直方向に配置された圧縮バネ３５が当接され、前記支持アーム３１の左右には上下方向スライド用ガイド長穴に嵌入させるベアリング３７が突起状態で締結されている。
【００５８】
圧縮バネ３５は、取付フレーム部２の縦フレーム１１上部に固着された突起部３４の孔に挿通させた支持ロッド３８に外嵌されており、前記支持ロッド３８は下端を前記支持アーム３１の頭部に締結されている。
【００５９】
また、前記上下方向スライド用ガイド長穴は、取付フレーム部２の縦フレーム１１の左右側にボルト締結により固設された平板形状の上下方向スライド用ガイド板２８に設けられている。
【００６０】
スクレーパ３６は、一端を支持アーム３１に固着させ、中途部で略Ｌ字状に屈曲させて、他端をゲージホイール３３の後側上部に押し当てるように配設しているので、これによってゲージホイール３３の表面に付着した土などを剥離でき、前進時の抵抗を減じることができ、かつディスクコルタ３２の土中深さを安定化することができる。
【００６１】
したがって、ディスクコルタ３２の板厚が１〜３ｍｍと薄いことと、第一押下げフレーム３による「てこの原理」から生じる押し下げ力と、圧縮バネ３５の押し下げ力と、ディスクコルタ３２が軸受を介して軸支されていることによって、ディスクコルタ３２で作物の根の成長を容易にする土中深さまで、例えば１０〜１５ｃｍの土中深さの細溝を駆動力を使用しない状態で容易に形成することができる。
【００６２】
第二押下げフレーム４は、先端部に支点２３用の孔を設け後端部にウエイト２４を載置する長尺のＬ型鋼を２本組み合わせ、前記２本の間に部分的に空間部を設けた構造を有するフレームである。
【００６３】
第二押下げフレーム４は、ディスクコルタ３２などを軸支する垂設された支持アーム３１の中途部に設けた支点２３用の孔に、第二押下げフレーム４の先端部に設けた支点２３用の孔を合わせて同軸で回転自在に取付け、後方に延出させ後端部にウエイト２４を載置することにより、第二押下げフレーム４に取付けたダブルディスク部６、種子押込みディスク部７及び覆土ディスク部８を、ディスクコルタ３２の土壌表面５６の凹凸による昇降の影響を受けずに押し下げることができ、ダブルディスク部６、種子押込みディスク部７及び覆土ディスク部８をディスクコルタ部５とは独立させて土壌表面５６の凹凸に追従させることができる。
【００６４】
ダブルディスク部６は、図４、図６（ａ）及び図６（ｂ）において、ディスクコルタ部５の後側に配設され、ダブルディスク４２、支持アーム４１、種子投下筒４３、肥料投下筒（図示なし）及びスクレーパ４５とから構成されている。
【００６５】
ダブルディスク部６は、第二押下げフレーム４に締着させた垂直の支持アーム４１の下部に固設された、軸受を嵌入した斜め下向きの軸で回転自在に軸支された左右２枚の円盤形状からなるディスクであり、ダブルディスク４２の前部にディスクコルタ３２の後部を挟入させる配置としている。
【００６６】
そして、挟入させた部分の下方における２枚のディスクの外周部分を接触させて、図４に示すように平面視で進行方向に向かって略逆Ｖ字形を成し、図６（ｂ）に示すように正面視で略Ｖ字形を成すように配置している。
【００６７】
したがって、厚さ１〜３ｍｍのディスクコルタ３２後側を左右２枚の円盤形状のディスク前側が挟んだ配置にしていることと、ダブルディスク４２の外周部の前側下部を接触させ平面視で進行方向に向かって略逆Ｖ字形を成し、正面視で略Ｖ字形を成していることにより、ディスクコルタ３２が形成した細溝をダブルディスク４２の前部が進むことになるので、土による抵抗を抑えて溝幅を広げることができ、図８（ａ）に示すように断面略Ｙ字形の播種溝７１を形成することが容易にできる。
【００６８】
ダブルディスク４２の土中深さは、ディスクコルタ部５のゲージホイール３３の接地面と、種子押込みディスク部７のゲージホイール５３の接地面と、ダブルディスク部６自体の土中深さ調整とで決定される。
【００６９】
ダブルディスク部６自体の土中深さ調整を行う構造は、ダブルディスク部６の第二押下げフレーム４に対する上下位置調整が可能な構造であればよく、例えばダブルディスク４２を軸支した支持アーム４１を上下方向で位置を調整しクランプ機構で締着させる構造でもよく、前記支持アーム４１に縦方向で孔を等間隔で穿孔しておき前記支持アーム４１を上下方向で位置を調整して前記孔にボルトなどで締結する構造でもよい。また、土中深さ範囲を制限した垂直方向のガイド機構に沿って上下動可能構造として、ダブルディスク４２の支持アーム４１頭部を、垂直方向に取付けた圧縮バネで押圧する構造にしてもよい。
【００７０】
さらに、種子押込みディスク５２の支持体５１の上面と第二押下げフレーム４の下面との間に土中深さ調整用のスペーサ５５を介挿させる構造でもよい。
【００７１】
図９において、ディスクコルタ部５のゲージホイール３３と、種子押込みディスク部７のゲージホイール５３とは土壌表面５６と接しており、中間部にダブルディスク４２が配設される構成となっている。この構成において、前記ゲージホイール５３を軸支する支持体５１の上面と、第二押下げフレーム４の下面との間にスペーサ５５を介挿させると、前記スペーサ５５の厚みによって種子押し込みディスク部７のゲージホイール５３の接地面に対する第二押下げフレーム４の高さを変更することができ、これによって正面視略Ｖ字形のダブルディスク４２の土中深さを変えることができる。
【００７２】
図９において、スペーサ５５の厚みが薄い場合は第二押下げフレーム４は下がってイの高さとなりダブルディスク４２はハの位置になって土中深さが深くなり播種溝７１は図１０（ｂ）に示すように大きい播種溝７１を形成させることができる。また、スペーサ５５の厚みが厚い場合は第二押下げフレーム４は高くなってロの高さとなりダブルディスク４２はニの位置になって土中深さが浅くなり播種溝７１は図１０（ａ）に示すように小さい播種溝７１を形成させることができる。
【００７３】
ダブルディスク４２の内側で、かつダブルディスク４２を軸支した支持アーム４１の後側には、種子投下筒４３及び肥料投下筒（図示なし）を配設し、前記種子投下筒４３及び肥料投下筒はそれぞれ種子供給管８３または肥料供給管が挿入されている。これによって、図８（ａ）に示すように、播種溝７１に種子７２及び肥料を確実に投下させることができる。
【００７４】
スクレーパ４５は、中央部を平面とした略半円の扇形状を有した板で、中央部から外周部にかけて屈曲させ略凹面状の形状を有している。ダブルディスク４２の内側で後側の空間に配設した種子投下筒４３及び肥料投下筒の左右面それぞれにスクレーパ４５の中央部を固着させ、ダブルディスク４２の円盤形状の内面後部に屈曲によってスクレーパ４５の外周部を当接させている。
【００７５】
これによってダブルディスク４２の左右の内側に付着した土などを剥離させることができ、付着した土が集積すると種子７２などを投下する通路が遮断されることを未然に防ぐことができる。
【００７６】
種子押込みディスク部７は、ダブルディスク部６の後側で第二押下げフレーム４に締結され、種子押込みディスク５２、ゲージホイール５３、スクレーパ５４及び支持体５１とから構成される。
【００７７】
支持体５１の下部で左右に分岐した部位の軸受用孔、狭幅の円板形状の種子押込みディスク５２の軸受用孔、及び種子押込みディスク５２の左右に配設した広幅の円筒形状のゲージホイール５３の軸受用孔を同軸で軸受を嵌入させて、種子押込みディスク５２及びゲージホイール５３を支持アーム５１で軸支する。
【００７８】
種子押込みディスク５２の土中深さは、種子押込みディスク５２の半径とゲージホイール５３の半径との差で設定することができる。
【００７９】
種子押込みディスク５２は０．５〜３ｃｍ幅の円板形状であり、これによって、図８（ｂ）に示すように、播種溝７１内の種子７２を土に接するように押し込むことができる。また、種子押込みディスク５２及びゲージホイール５３に軸受を使用しているので、不耕起播種機１が前進時に土から受ける抵抗を減じさせることができる。
【００８０】
スクレーパ５４は、一端を支持体５１に固着させ、中途部で略Ｌ字状に屈曲させて、他端をゲージホイール５３の後側上部に押し当てるように配設しているので、これによってゲージホイール５３の表面に付着した土などを剥離でき、前進時の抵抗を減じることができ、かつ種子押込みディスク５２の土中深さを安定化することができる。
【００８１】
以上により、覆土実施前に、種子押込みディスク５２の土中深さを一定で安定させた状態で播種溝７１に投下した種子７２を土に密着させることができるので、種子７２が土中の水分を吸収しやくなる。
【００８２】
覆土ディスク部８は、種子押込みディスク部７の後側で第二押下げフレーム４に締結され、屈曲支持アーム６１、引張りバネ６３及び薄板状かつスプロケット形状の覆土ディスク６２とから構成される。
【００８３】
屈曲支持アーム６１は、軸を嵌入させて回転自在に連結した上部取付部と下部アーム部とからなり、上部取付部は垂直状態から中途部で斜め後方に曲がっており、下部アーム部の後部の覆土ディスク６２取付面が牽引車の進行方向に対して斜面になるように構成されている。これにより、覆土ディスク６２を傾斜させて進行させることができ、かつ覆土ディスク６２が播種溝７１の幅を覆うようにすることができる。
【００８４】
引張りバネ６３は、一端を前記屈曲支持アーム６１の上部取付部に、他端を前記屈曲支持アーム６１の下部アーム部に接続され、これによって下部アームを常時土壌表面５６側に引き寄せるので、覆土ディスク６２が土壌表面５６から浮き上がることもなく土壌表面５６の凹凸に沿って安定して覆土することができる。
【００８５】
覆土ディスク６２は、薄板状で、かつ円形状の外周に歯たけの高い三角形状の歯を等間隔で配置したスプロケット形状とし、覆土ディスク６２を傾斜させて配設している。このため、不耕起播種機１を前進させながら覆土ディスク６２を土壌表面５６に接触させると覆土ディスク６２が回転する。
【００８６】
本発明の覆土する目的は、播種溝７１に投下された種子７２の表面の乾燥を防ぎ、播種溝７１に投下された種子７２に対する鳥類の被害を防ぐことにあるので、種子７２に土をかける程度でよい。したがって、覆土ディスク６２の外周面形状が円弧形状の場合には土を移動させ種子に土を過剰にかけるが、本発明である覆土ディスク６２の外周面形状が三角形状であって、覆土ディスク６２が土壌表面５６に接すると回転する場合には、図８（ｃ）に示すように種子７２に土を適度にかけることができ、かつ播種溝７１に幅広く覆土することができる。
【００８７】
種子供給部９は、種子用ホッパ８１、種子繰り出し装置８２、種子供給管８３及び種子繰り出し装置８２を駆動させる接地輪から構成され、種子用ホッパ８１及び種子繰り出し装置８２は取付フレーム部２の横フレーム１４に取付ブラケットを使用したクランプ機構で締結されている。このため、種子用ホッパ８１及び種子繰り出し装置８２を容易に移動できるので、播種条数や条間を自由に設定することができる。なお、横フレーム１４は横フレーム１３と継ぎ手を介して締結されている。
【００８８】
種子供給管８３は、上端側を種子繰り出し装置８２に接続し、下端側をダブルディスク部６の種子投下筒４３内に挿入させている。また、種子繰り出し装置８２と種子繰り出し装置を駆動させる接地輪とはチェーンなどを介して接続されている。
【００８９】
したがって、進行するに従い接地輪が回転し、駆動力が種子繰り出し装置８２に伝達され、種子用ホッパ８１内に保管されている種子７２が種子供給管８３内を通過しダブルディスク部６の種子投下筒４３内を通過して播種溝７１内に投下することができる。
【００９０】
肥料供給部は作目や目的によって設置してもしなくともよく、肥料供給部の構成は、種子供給部９の構成と略同じなので説明を略す。
【符号の説明】
【００９１】
１        不耕起播種機
２        取付フレーム部
３        第一押下げフレーム
４        第二押下げフレーム
５        ディスクコルタ部
６        ダブルディスク部
７        種子押込みディスク部
８        覆土ディスク部
９        種子供給部
１１      縦フレーム
１２      横フレーム
１３      横フレーム
１４      横フレーム
１５      継手クランプ機構
２１      支点
２２      ウエイト
２３      支点
２４      ウエイト
２６      ブラケット
２７      ブラケット
２８      上下方向スライド用ガイド板
３１      支持アーム
３２      ディスクコルタ
３３      ゲージホイール
３４      突起部
３５      圧縮バネ
３６      スクレーパ
３７      ベアリング
３８      支持ロッド
４１      支持アーム
４２      ダブルディスク
４３      種子投下筒
４５      スクレーパ
５１      支持体
５２      種子押し込みディスク
５３      ゲージホイール
５４      スクレーパ
５５      スペーサ
５６      土壌表面
６１      屈曲支持アーム
６２      覆土ディスク
６３      引張バネ
７１      播種溝
７２      種子
８１      種子用ホッパ
８２      種子繰り出し装置
８３      種子供給管
【先行技術文献】
【特許文献】
【００９２】
【特許文献１】特開平１１−０００００７号公報
【特許文献２】特開平０８−２６６１０９号公報
【図１】
2011110009.tif 000003
【図２】
2011110009.tif 000004
【図３】
2011110009.tif 000005
【図４】
2011110009.tif 000006
【図５】
2011110009.tif 000007
【図６】
2011110009.tif 000008
【図７】
2011110009.tif 000009
【図８】
2011110009.tif 000010
【図９】
2011110009.tif 000011
【図１０】
2011110009.tif 000012